(57)【要約】【課題】仕切り設置における製造コストを削減すること。【解決手段】天井に設置された中空なレール内に収容され、空間を仕切る仕切りパネルを搬送する仕切りパネル搬送装置であり、上記仕切りパネルの上端に連結し上記レール内に収容されたたランナを保持する保持手段と、上記保持手段による上記ランナの保持状態／非保持状態を切り替えるよう上記保持手段を可動するパネル保持切替手段と、上記レール内を仕切りパネル搬送装置自体が走行するよう駆動する走行手段と、を備える。【選択図】図１
2011021357.tif 000002
【特許請求の範囲】
【請求項１】
天井に設置された中空なレール内に収容され、空間を仕切る仕切りパネルを搬送する仕切りパネル搬送装置であって、
前記仕切りパネルの上端に連結し前記レール内に収容されたたランナを保持する保持手段と、
前記保持手段による前記ランナの保持状態／非保持状態を切り替えるよう前記保持手段を可動するパネル保持切替手段と、
前記レール内を仕切りパネル搬送装置自体が走行するよう駆動する走行手段と、
を備えた仕切りパネル搬送装置。
【請求項２】
請求項１に記載の仕切りパネル搬送装置であって、
前記パネル保持切替手段は、前記保持手段を前記ランナの上方から当該ランナに向かって下方に移動するよう可動することで当該ランナを前記保持手段にて保持した状態とし、前記保持手段にて前記ランナを保持した状態から前記保持手段を前記ランナから離間するよう上方に可動することで前記ランナの前記保持手段による保持状態を解除する、
仕切りパネル搬送装置。
【請求項３】
請求項２に記載の仕切りパネル搬送装置であって、
前記保持手段は、下端が開口した筒状体であり、当該筒状体の内部に前記ランナの少なくとも一部が収容されるよう当該筒状体を開口側から前記ランナに被せて当該ランナを保持する、
仕切りパネル搬送装置。
【請求項４】
請求項１乃至３のいずれか一項に記載の仕切りパネル搬送装置であって、
前記保持手段は、前記ランナを保持している状態のときに当該ランナに設けられたランナ側端子に接触して、当該ランナ側端子に電力を供給する送電手段を備えた、
仕切りパネル搬送装置。
【請求項５】
空間を仕切る仕切りパネルと、天井に設置された中空なレール内に収容され前記仕切りパネルを搬送する仕切りパネル搬送装置と、を備えた仕切り装置であって、
前記仕切りパネルは、当該仕切りパネルの上端に連結し、前記レール内に収容されるランナを備え、
前記仕切りパネル搬送装置は、前記ランナを保持する保持手段と、前記保持手段による前記ランナの保持状態／非保持状態を切り替えるよう前記保持手段を可動するパネル保持切替手段と、前記レール内を仕切りパネル搬送装置自体が走行するよう駆動する走行手段と、を備えた、
仕切り装置。
【請求項６】
請求項５に記載の仕切り装置であって、
前記仕切りパネル搬送装置の前記保持手段は、前記ランナを保持状態のときに当該ランナに設けられたランナ側端子に接触して、当該ランナ側端子に電力を供給する送電手段を備え、
前記仕切りパネルは、当該仕切りパネルの側面側に隣接して位置する隣接部材と連結する連結手段と、前記仕切りパネル搬送装置から送電され前記ランナ側端子にて受電した電力を用いて前記仕切りパネルの側面が前記隣接部材に対して密着するよう前記連結手段を駆動する連結駆動手段と、を備えた、
仕切り装置。
【請求項７】
請求項６記載の仕切り装置であって、
前記仕切りパネルの前記連結手段は、前記仕切りパネルの側面から突出して前記隣接部材に形成された引っ掛け部に引っ掛かるフックを備え、
前記仕切りパネルの前記連結駆動手段は、前記フックを前記仕切りパネル側に引っ張るよう駆動する、
仕切り装置。
【発明の詳細な説明】
【技術分野】
【０００１】
本発明は、仕切りパネル搬送装置にかかり、特に、空間を仕切るパネルを自動的に所定位置に配置するよう搬送する仕切りパネル搬送装置に関する。また、仕切りパネル搬送装置と当該搬送装置にて搬送される仕切りパネルとを備えた仕切り装置に関する。
【背景技術】
【０００２】
建物の空間を効率よく利用するために、仕切りパネルを配置して、１つの空間を複数の部屋に仕切ることが行われる。例えば、ホテルなどの広い空間を、利用人数に応じて複数の部屋に仕切り、各部屋を会議や食事会場として利用することが行われる。そして、このような仕切りパネルは、通常は、天井に設けられたレールから吊り下げられて設置されており、かかるレールに沿って移動され、複数の部屋の壁として配置される。
【０００３】
ここで、特許文献１では、仕切りパネルが自動で走行し、所定の位置に搬送される装置が開示されている。具体的には、各仕切りパネルの上端に設けられたランナをレール内に収容し、このランナに設けたコロを、モータを駆動源としてレール内を走行させる。これによって、仕切りパネルをレールに沿って自動的に移動させることができ、自動的に空間を仕切ることができる。
【先行技術文献】
【特許文献】
【０００４】
【特許文献１】特公平３−６４０３６号公報
【発明の概要】
【発明が解決しようとする課題】
【０００５】
ここで、特許文献１に開示の装置では、仕切りパネル毎に設けられたランナが全て走行可能なよう構成されている。具体的には、各仕切りパネルにモータを設け、このモータの駆動力を各ランナに伝達し、走行させている。このため、仕切りパネルの構成が複雑となり、製造コストが膨大となる、という問題があった。
【０００６】
このため、本発明の目的は、上述した課題である仕切り設置における製造コストを削減することにある。
【課題を解決するための手段】
【０００７】
かかる目的を達成するため本発明の一形態である仕切りパネル搬送装置は、
天井に設置された中空なレール内に収容され、空間を仕切る仕切りパネルを搬送する仕切りパネル搬送装置であり、
上記仕切りパネルの上端に連結し上記レール内に収容されたたランナを保持する保持手段と、
上記保持手段による上記ランナの保持状態／非保持状態を切り替えるよう上記保持手段を可動するパネル保持切替手段と、
上記レール内を仕切りパネル搬送装置自体が走行するよう駆動する走行手段と、
を備えている。
【０００８】
また、本発明の他の形態は、空間を仕切る仕切りパネルと、天井に設置された中空なレール内に収容され上記仕切りパネルを搬送する仕切りパネル搬送装置と、を備えた仕切り装置であり、
上記仕切りパネルは、当該仕切りパネルの上端に連結し、上記レール内に収容されるランナを備え、
上記仕切りパネル搬送装置は、上記ランナを保持する保持手段と、上記保持手段による上記ランナの保持状態／非保持状態を切り替えるよう上記保持手段を可動するパネル保持切替手段と、上記レール内を仕切りパネル搬送装置自体が走行するよう駆動する走行手段と、を備えている。
【発明の効果】
【０００９】
本発明は、以上のように構成されることにより、低コストにて仕切りパネルを自動的に設置することができる。
【図面の簡単な説明】
【００１０】
【図１】仕切り装置の構成の概略を示す図である。
【図２】仕切り装置の構成の概略を示す図である。
【図３Ａ】レール内に収容された仕切りパネル搬送装置及びランナの構成を示す図である。
【図３Ｂ】レール内に収容された仕切りパネル搬送装置及びランナの構成を示す図である。
【図４】図３Ａに開示した仕切りパネル搬送装置を側方から見た図である。
【図５】図４に開示した仕切りパネル搬送装置を上方から見た図である。
【図６】図１に開示した連結機構の構成を示す斜視図である。
【図７】図１に開示した連結機構の詳細な構成を示す図である。
【図８】図１に開示した制御部の構成を示す機能ブロック図である。
【発明を実施するための形態】
【００１１】
＜実施形態１＞
本発明の第一の実施形態を、図１乃至図８を参照して説明する。図１乃至図２は、仕切り装置の構成の概略を示す図である。図３Ａ，Ｂは、レール内に収容された仕切りパネル搬送装置及びパネルに装備されたランナの構成を示す図である。図４乃至図５は、仕切りパネル搬送装置の構成を示す図である。図６乃至図７は、連結機構の構成を示す図である。図８は、制御部の構成を示す図である。
【００１２】
［構成］
まず、本実施形態における仕切り装置は、建物の空間を仕切るために、所定のレイアウトに仕切りパネルを自動的に搬送して配置するものである。以下、図１乃至図２を参照して、その構成の概略を説明し、図３乃至図８を参照して、その詳細な構成を説明する。
【００１３】
まず、仕切りパネル１が配置される部屋の空間の天井Ａに設けられたレールＲについて説明する。レールＲは、図１に示すように、部屋の天井Ａに、予め設定された形状に沿って、所定の長さに形成されて設けられている。ここで、レールＲの長手方向に対して垂直方向の断面図を図３Ａ及び図３Ｂに示す。なお、図３Ｂは、図３Ａに示す把持部５を取り除いた図である。レールＲの内部は中空であり、上方に仕切りパネル搬送装置本体２を収容する搬送装置用空間部Ｒ１と、下方に仕切りパネル１のランナ２を収容するランナ用空間部Ｒ２と、が形成されている。そして、天井Ａとほぼ同じ高さに位置するランナ用空間部Ｒ２の下端面は、部屋側の空間に開口しており、後述するように、ランナ２と仕切りパネル１本体とを連結する連結部２ａが挿通するよう形成されている。
【００１４】
なお、搬送装置用空間部Ｒ１とランナ用空間部Ｒ２とは連通しており、後述するように、搬送装置用空間部Ｒ１に収容された仕切りパネル搬送装置４の一部を構成する把持部５が、ランナ２を保持すべく、当該ランナ２が収容されているランナ用空間部Ｒ２に配置された状態となっている。
【００１５】
また、搬送装置用空間部Ｒ１は、ランナ用空間部Ｒ２よりも広く形成されている。そして、搬送装置用空間部Ｒ１に位置するレールＲ自体の壁面を形成する一部分の内側に、レールＲの長手方向に沿って延びるラック４１が設けられている。このラック４１は、後述する仕切りパネル搬送装置４に設けられたモータ４２（図３Ｂ参照）にて回転駆動される平歯車４３と噛み合っており、当該平歯車４３が回転することで、ラック４１に沿って仕切りパネル搬送装置４が移動可能となる。
【００１６】
次に、仕切り装置について詳細に説明する。仕切り装置は、空間を仕切る仕切りパネル１と、上記レールＲ内に収容され上記仕切りパネル１を搬送する仕切りパネル搬送装置４と、主に仕切りパネル搬送装置４の動作を制御する制御部６と、を備えている。
【００１７】
そして、上記仕切りパネル１は、所定の厚みを有する板部材であり、所定箇所に配置されることで空間を仕切る壁として機能する。そして、仕切りパネル１は、図１に示すように、ほぼ部屋の天井Ａから床面Ｂまでの高さを有しており、その上端には、仕切りパネル１自体を搬送する際に用いられるランナ２が、さらに上方に突出して連結している。このランナ２は、略円柱形状であり、上述したようにレールＲのランナ用空間部Ｒ２に収容されている。このとき、ランナ２と仕切りパネル１本体を連結する連結部２ａが、ランナ用空間部Ｒ２の下端面に形成された開口を挿通した状態となっている。
【００１８】
また、ランナ２の上端面には、後述するように仕切りパネル搬送装置４の把持部５に形成された送電部５２に接触する端子にて形成された受電部２１（ランナ側端子）が設けられている。そして、受電部２１は、送電部５２から供給される電力を受電し、当該受電部２１に接続され仕切りパネル１本体内部に延びるパネル側配線Ｌ３に電力を流す。そして、パネル側配線Ｌ３から連結機構３や図示しない上下圧接装置に電力を供給する。なお、パネル側配線Ｌ３は、電力用配線と共に、制御信号用配線を有しており、制御信号用配線は、制御部６から出力された制御指令を上記把持部５の送電部５２から受信し、連結機構３や上下圧接装置に伝送する。
【００１９】
また、仕切りパネル１は、当該仕切りパネル１の側面付近に、隣接して配置されるパネルと密接に連結するよう可動する連結機構３（連結手段）を備えている。そして、上記パネル側配線Ｌ３は、連結機構３を構成する駆動源であるモータ３１（連結駆動手段）に接続されており、上述したよう仕切りパネル搬送装置４側から受電部２１を介して受電した電力を、モータ３１つまり連結機構３自体を駆動するための電力として、当該モータ３１に供給する。
【００２０】
ここで、連結機構３の詳細な構成の一例を、図６乃至図７を参照して説明する。まず、連結機構３は、モータ３１と、このモータ３１にて回転駆動され、回転に伴い軸方向に端部が移動する送りネジ３２と、を備えている。そして、この送りネジ３２の先端には、所定の長さの連結レバー３３の一端部が回転自在に連結されており、当該連結レバー３３の他端部には、当該連結レバー３３の長手方向に対して垂直に突出するフック３４が形成されている。
【００２１】
そして、連結機構３は、仕切りパネル１の側面付近に装備されており、上記送りネジ３２は、その軸方向が仕切りパネル１の側面に対して垂直方向に向いて配置されている。そして、送りネジ３２の先端に連結された連結レバー３３は、図７の符号３３’に示すように、その長手方向が側面に接して位置して、つまり、送りネジ３２の軸方向と垂直に位置して、配置される。
【００２２】
上記構成により、連結機構３は、モータ３１が回転して送りネジ３２の端部がモータ側つまり図７の矢印Ｙ１１方向に移動すると、回転自在に連結されている連結レバー３３の一端部もモータ側つまり矢印Ｙ１１方向に引っ張られる。すると、連結レバー３３は、一端部を中心に矢印Ｙ１２に示すよう回転して、図７の符号３４’に示すようにフックが形成されている他端部が、仕切りパネル１の側面から飛び出す。そして、連結レバー３３は、その長手方向が仕切りパネル１の側面と垂直つまり送りネジ３２の軸方向の延長線上に位置すると、連結レバー３３自体が仕切りパネル１の一部に接触して回転が係止される。すると、連結レバー３３の他端部に形成されたフック３４が下向きとなり、隣接する他の仕切りパネル１００（隣接部材）の側面に形成された引っ掛け部１０２に引っかかる。
【００２３】
なお、上記引っ掛け部１０２は、例えば、図７に示すように、他の仕切りパネル１００の側面に形成された内部側に凹んだ空間部１０１内のパネル側面側に形成され、上記フック３４に引っかかることが可能なよう上方に突出した部分にて構成される。そして、さらにモータ３１が回転して送りネジ３２の端部をモータ側（図７の矢印Ｙ１１方向）に移動させることで、隣接する仕切りパネル１００を、自パネル１の側面に密着するよう、図７の矢印Ｙ１３方向に引っ張ることができる。
【００２４】
なお、上記連結レバー３３は、必ずしも他の仕切りパネル１００と連結するために利用されることに限定されない。例えば、上述した引っ掛け部１０２が所定の壁に形成されている場合には、当該壁と自パネル１とを密着させるために用いることができる。
【００２５】
次に、仕切りパネル搬送装置４の構成について詳述する。ここで、図３Ｂは、上述したように図３Ａに示す把持部５を取り除いた図である。図１、図３Ａ、及び図３Ｂに示すように、レールＲ内に収容される仕切りパネル搬送装置４は、モータ４２（図３Ｂ参照）と、このモータ４２にて回転駆動される平歯車４３と、を備えている（走行手段）。そして、平歯車４３は、上述したようにレールＲ内に当該レールＲに沿って設けられたラック４１と螺合しており、平歯車４３が回転駆動されると、当該平歯車４３がラック４１上を転がり、仕切り搬送装置４自体がレールＲに沿って走行可能となる。
【００２６】
また、仕切りパネル搬送装置４は、その下方に、下端が開口し、上端が塞がれた略筒状の把持部５（保持手段）を備えており、当該把持部５は、レールＲ内の下部に形成されたランナ用空間部Ｒ２に位置している。そして、把持部５には支持軸５１が連結しており、仕切りパネル搬送装置４自体に対して上下動可能に係合しており、把持部５を上下駆動する駆動手段（パネル保持切替手段）として、ソレノイド５３を備えている。具体的に、ソレノイド５３は、把持部５の上部２箇所に装備されており、ソレノイド５３に電流を流してプル動作させることで把持部５を下方に移動させ、ソレノイド５３への電流を遮断することで把持部５に連結したバネの力で当該把持部５を上方に移動させる。なお、把持部５を上下動させる駆動手段は、上述したソレノイド５３で構成されていることに限定されない。
【００２７】
そして、上述したソレノイド５３にて把持部５を上下動させることで、ランナ２の保持状態／非保持状態を切り替えることができる。例えば、図２の矢印Ｙ１に示すように、把持部５をランナ２の上方から当該ランナ２に向かって下方に可動させることで、把持部５の開口側から当該把持部５の内部にランナ２の少なくとも一部が収容され、当該ランナ２を保持した状態となる。つまり、把持部５を開口側からランナ２に被せることで、把持部５にてランナ２を保持することができる。このような状態で図２の矢印Ｙ２に示すように仕切りパネル搬送装置４をレールＲに沿って移動することで、把持部５にて保持されたランナ２が連結された仕切りパネル１を搬送することができる。また、ランナ２を保持した状態から、把持部５をランナ２から離間するよう上方に可動させることで、当該ランナ２の保持状態を解除することができる。
【００２８】
また、把持部５の上面の内側（内上面）には、端子にて形成された送電部５２（送電手段）が設けられており、把持部側配線Ｌ２が接続されている。この送電部５２は、把持部５がランナ２を保持している状態のときに、当該ランナ２に装備された受電部２１に接触する。そして、送電部５２には、後述するように仕切りパネル搬送装置４に供給された電力が、上記把持部側配線Ｌ２を介して給電され、この電力を接触した受電部２１つまり仕切りパネル１側に供給することができる。
【００２９】
なお、上記把持部側配線Ｌ２は、電力用配線と共に、制御信号用配線を有しており、この制御信号用配線は、上記制御部６からの配線Ｌ１と接続されている。これにより、制御部６からの制御指令や電力を、ランナ２に装備されたパネル側配線Ｌ３を介して仕切りパネル１に装備された連結機構３に伝送することができる。
【００３０】
また、仕切り装置は、上記仕切りパネル搬送装置４の動作を制御する制御部６を備えている。この制御部６は、図８に示すように、パネル制御用プログラムがＣＰＵと言った演算装置に組み込まれることで構築された、搬送駆動制御部６１と、パネル密着制御部６２と、を備えている。また、制御部６は、フラッシュメモリなどの記憶装置内に構築されたパネル配置記憶部６３を有する。
【００３１】
上記パネル配置記憶部６３は、予め部屋の天井に設けられたレールＲの形状およびレールＲ上の位置を記憶すると共に、このレールＲの形状に従って配置される仕切りパネル１の配置パターンを記憶している。また、パネル配置記憶部６３は、レールＲ上における各仕切りパネル１の現在の位置、具体的には、各仕切りパネル１に装備された各ランナ２の位置を記憶している。
【００３２】
そして、上記搬送駆動制御部６１は、パネル配置記憶部６３に記憶された現在の各仕切りパネル１の位置情報と、配置目的とする仕切りパネルの配置パターンと、に基づいて、各仕切りパネル１のランナ２を保持して当該仕切りパネル１が目的の位置に配置されるよう搬送する制御指令を、配線Ｌ１を介して仕切りパネル搬送装置４に送信する。なお、仕切りパネル１の位置は、レールＲ上のパネル配置位置に予め設置されたセンサ（図示せず）と、このセンサに近接した検出する仕切りパネル搬送装置４に設置された近接センサ５４（図４参照）にて位置決めされる。
【００３３】
また、パネル密着制御部６２は、仕切りパネルの配置パターンに従って目的の位置に搬送した仕切りパネル１と隣接する他の仕切りパネル１００とを密着させるよう、搬送した仕切りパネル１に装備された連結機構３を可動させる制御指令を、配線Ｌ１を介して仕切りパネル搬送装置４に送信する。
【００３４】
なお、上述した制御部６が有する機能は、プログラマブルロジックコントローラで構成してもよい。
【００３５】
［動作］
次に、上記構成の仕切り装置の動作を説明する。まず、オペレータが、仕切りパネル１を予め設定された配置パターンに配置する指示を、制御部６に対して入力する。すると、制御部６は、記憶している現在の各仕切りパネル１の位置情報を読み出して、各仕切りパネル１の位置を把握する。そして、指示された配置パターンを読み出して、配置パターン上の各位置に各仕切りパネル１を配置する指令を、仕切りパネル搬送装置４に送信する。例えば、仕切りパネル（１ａ）を、レールＲ上の位置（Ｒａ）に配置する、という指示を出すと共に、仕切りパネル（１ａ）の現在の位置情報を通知する。
【００３６】
そして、仕切りパネル搬送装置４は、配置指令を受けた仕切りパネル１の現在の位置つまりランナ２の位置に、把持部５が位置するようモータ４２を駆動してレールＲ内を走行する。続いて、仕切りパネル搬送装置４は、ランナ２の上方に位置する把持部５を下方に移動するようソレノイド５３で駆動し（図２の矢印Ｙ１参照）、把持部５の下端の開口側からランナ２を覆って当該ランナ２を保持する（図２参照）。
【００３７】
続いて、仕切りパネル搬送装置４は、ランナ２を保持した把持部５と共に、当該ランナ２が連結された仕切りパネル１を目的の位置に移動するよう、モータ４２を駆動してレールＲ内を走行する（図２の矢印Ｙ２参照）。
【００３８】
そして、仕切りパネル搬送装置４が配置パターンに基づく目的の位置に仕切りパネル１を搬送すると、制御部６はこのことを認識し、続いて連結機構３を駆動して隣接する他の仕切りパネル１００や壁と密着させる指令を、配線Ｌ１を介して出す。このとき、把持部５の送電部５２とランナ２の受電部２１とは接触しているため、上記制御部６からの連結機構３の駆動指令は、把持部側配線Ｌ２及びパネル側配線Ｌ３を介して連結機構３に伝達される。同時に、送電部５２から受電部２１に対して供給された電力は、パネル側配線Ｌ３を介して連結機構３に供給される。
【００３９】
そして、上記駆動指令と電力を受けた連結機構３は、モータ３１を駆動して送りネジ３２の端部を移動させることで（図７の矢印Ｙ１１参照）、連結レバー３３を回転させる（図７の矢印Ｙ１２参照）。すると、連結レバー３３の先端に位置するフック３４が、隣接する他の仕切りパネル１００の引っ掛け部１０２に引っ掛かる（図７参照）。その後さらに、モータ３１を駆動して送りネジ３２の端部を移動させることで（図７の矢印Ｙ１１参照）、連結レバー３３を自パネル１側に引き寄せ、当該連結レバー３３に引っ掛かっている他の仕切りパネル１００と自パネル１とを密着させる。
【００４０】
その後、制御部６は、目的の仕切りパネル１の搬送が終了したことを認識し、次の仕切りパネル１を搬送するよう指令を出す。すると、仕切りパネル搬送装置４は、把持部５をランナ２から離間するようソレノイド５３にて上方に可動して、ランナ２の保持状態を解除する。そして、仕切りパネル搬送装置４は、次に搬送する仕切りパネル１の位置に移動するよう走行し、上記動作を繰り返して、目的の配置パターンに全ての仕切りパネル１を配置する。
【００４１】
以上のように、本発明によると、各仕切りパネル１を、レール内を走行する仕切りパネル搬送装置４にて搬送するため、仕切りパネル１毎に駆動源を設ける必要がない。従って、仕切りパネル１を設置する設備自体の構成が簡素となり、製造コストの削減を図ることができる。例えば、最低１台の仕切りパネル搬送装置４を設置することで、複数の仕切りパネル１を搬送してそれぞれを所望の位置に配置することができる。
【００４２】
そして特に、把持部５を上下動させてランナを保持あるいは非保持とするよう構成しているため、仕切りパネル１の搬送を行うためにランナを保持する動作を迅速に行うことができ、仕切りパネル１の配置の高速化を図ることができる。また、簡易な構成で実現できるため、さらなるコスト削減を図ることができる。
【００４３】
さらに、仕切りパネル１のランナ２が仕切りパネル搬送装置４にて保持されているときに、仕切りパネル１は仕切りパネル搬送装置４から電力の供給を受けるよう構成しているため、各仕切りパネル１に駆動源を設けていない場合であっても、各仕切りパネル１は供給された電力を利用して、種々の構成を採ることができる。特に、仕切りパネル１の側面に隣接する他の隣接部材と密着するよう連結機構３を駆動するよう構成しているため、低コストにて仕切り装置の品質の向上を図ることができる。
【００４４】
＜実施形態２＞
次に、本発明の第２の実施形態を説明する。なお、本実施形態では、実施形態１で説明した仕切りパネル搬送装置、あるいは、仕切り装置の構成の概略を説明する。
【００４５】
本実施形態における仕切りパネル搬送装置は、
天井に設置された中空なレール内に収容され、空間を仕切る仕切りパネルを搬送する仕切り装置であり、
上記仕切りパネルの上端に連結し上記レール内に収容されたたランナを保持する保持手段と、
上記保持手段による上記ランナの保持状態／非保持状態を切り替えるよう上記保持手段を可動するパネル保持切替手段と、
上記レール内を仕切りパネル搬送装置自体が走行するよう駆動する走行手段と、
を備える。
【００４６】
上記構成の仕切りパネル搬送装置によると、まず、保持手段をパネル保持切替手段にて可動させて、搬送対象となっている仕切りパネルのランナをレール内で保持する。そして、仕切りパネルを保持した状態で、走行手段にて仕切りパネル搬送装置自体をレールに沿って走行させることで、仕切りパネルを所望の位置に搬送させることができる。また、仕切りパネルの搬送後には、保持手段をパネル保持切替手段にて可動させて、搬送した仕切りパネルのランナの保持状態を解除し、走行手段にて仕切りパネル搬送装置自体をレールに沿って走行させ、別の場所に移動する。例えば、次に搬送対象となる仕切りパネルがあれば、その仕切りパネルまで移動し、上述同様の動作にて搬送を行う。
【００４７】
以上のように、本発明では、各仕切りパネルを、レール内を走行する仕切りパネル搬送装置にて搬送するため、仕切りパネル毎に駆動源を設ける必要がない。従って、仕切りパネルを設置する設備自体の構成が簡素となり、製造コストの削減を図ることができる。例えば、最低１台の仕切りパネル搬送装置を設置することで、複数の仕切りパネルを搬送してそれぞれを所望の位置に配置することができる。
【００４８】
また、上記仕切りパネル搬送装置では、
上記パネル保持切替手段は、上記保持手段を上記ランナの上方から当該ランナに向かって下方に移動するよう可動することで当該ランナを上記保持手段にて保持した状態とし、上記保持手段にて上記ランナを保持した状態から上記保持手段を上記ランナから離間するよう上方に可動することで上記ランナの上記保持手段による保持状態を解除する、
という構成を採る。
【００４９】
また、上記仕切りパネル搬送装置では、
上記保持手段は、下端が開口した筒状体であり、当該筒状体の内部に上記ランナの少なくとも一部が収容されるよう当該筒状体を開口側から上記ランナに被せて当該ランナを保持する、
という構成を採る。
【００５０】
これにより、パネル保持切替手段にて保持手段を上下動させることで、当該保持手段にてランナを保持あるいは非保持とすることができる。従って、仕切りパネルの搬送を行うためにランナを保持する動作を迅速に行うことができ、仕切りパネルの配置の高速化を図ることができる。また、簡易な構成で実現できるため、さらなるコスト削減を図ることができる。
【００５１】
また、上記パネル搬送装置では、
上記保持手段は、上記ランナを保持している状態のときに当該ランナに設けられたランナ側端子に接触して、当該ランナ側端子に電力を供給する送電手段を備えた、
という構成を採る。
【００５２】
これにより、仕切りパネルのランナが仕切りパネル搬送装置にて保持されているときに、仕切りパネルはパネル搬送装置から電力の供給を受けることができる。従って、上述したように各仕切りパネルに駆動源を設けていない場合であっても、各仕切りパネルは供給された電力を利用して、種々の構成を採ることができる。その結果、低コストにて仕切りパネルの高機能化を図ることができる。
【００５３】
また、本発明の他の形態である仕切り装置は、
空間を仕切る仕切りパネルと、天井に設置された中空なレール内に収容され上記仕切りパネルを搬送する仕切りパネル搬送装置と、を備えている。
そして、上記仕切りパネルは、当該仕切りパネルの上端に連結し、上記レール内に収容されるランナを備え、
上記仕切りパネル搬送装置は、上記ランナを保持する保持手段と、上記保持手段による上記ランナの保持状態／非保持状態を切り替えるよう上記保持手段を可動するパネル保持切替手段と、上記レール内を仕切りパネル搬送装置自体が走行するよう駆動する走行手段と、を備えた、
という構成を採る。
【００５４】
また、上記仕切り装置では、
上記仕切りパネル搬送装置の上記保持手段は、上記ランナを保持状態のときに当該ランナに設けられたランナ側端子に接触して、当該ランナ側端子に電力を供給する送電手段を備え、
上記仕切りパネルは、当該仕切りパネルの側面側に隣接して位置する隣接部材と連結する連結手段と、上記仕切りパネル搬送装置から送電され上記ランナ側端子にて受電した電力を用いて上記仕切りパネルの側面が上記隣接部材に対して密着するよう上記連結手段を駆動する連結駆動手段と、を備えた、
という構成を採る。
【００５５】
また、上記仕切り装置は、
上記仕切りパネルの上記連結手段は、上記仕切りパネルの側面から突出して上記隣接部材に形成された引っ掛け部に引っ掛かるフックを備え、
上記仕切りパネルの上記連結駆動手段は、上記フックを上記仕切りパネル側に引っ張るよう駆動する、
という構成を採る。
【００５６】
これにより、仕切りパネル搬送装置にて仕切りパネルを所定の位置に配置する際に、仕切りパネルは電力の供給を受けて、当該仕切りパネルの側面に隣接する他の隣接部材と密着するよう連結手段を駆動することができる。例えば、フックにて隣接部材を引っ掛け、当該フックを引っ張るよう駆動することにより、仕切りパネルと隣接部材とが互いに近づくよう移動し、より確実に仕切りパネルを隣接部材に密着させることができる。その結果、各仕切りパネルに簡易な構成にて電力を供給して、仕切りパネルの隙間をなくすことができ、低コストにて仕切り装置の品質の向上を図ることができる。
【産業上の利用可能性】
【００５７】
本発明は、ホテルなどの広い空間を仕切る仕切りパネルを自動的に配置する装置として利用することができ、産業上の利用可能性を有する。
【符号の説明】
【００５８】
１  パネル
２  ランナ
３  連結機構
４  パネル搬送装置
５  把持部
６  制御部
２１  受電部
３１  モータ
３２  送りネジ
３３  連結レバー
３４  フック
４１  ラック
４２  モータ
４３  平歯車
５２  送電部
５３  ソレノイド
５４  近接センサ
６１  搬送駆動制御部
６２  パネル密着制御部
６３  パネル配置記憶部
Ａ  天井
Ｂ  床面
Ｌ１  配線
Ｌ２  把持部側配線
Ｌ３  パネル側配線
Ｒ  レール
Ｒ１  搬送装置用空間部
Ｒ２  ランナ用空間部
【図１】
2011021357.tif 000003
【図２】
2011021357.tif 000004
【図３Ａ】
2011021357.tif 000005
【図３Ｂ】
2011021357.tif 000006
【図４】
2011021357.tif 000007
【図５】
2011021357.tif 000008
【図７】
2011021357.tif 000009
【図８】
2011021357.tif 000010
【図６】
2011021357.tif 000011